(57)【要約】【課題】部品コストや組立工程の増加を防止しつつ部品間の隙間を極力少なくし、デザインへの制約が極力少ない自動車用ヘッドランプの取付構造を提供する。【解決手段】ヘッドランプ１０のレンズ１２を支持するハウジング１１の前端縁部１４に支持部２１を上下方向に回動可能に形成し、支持部２１でレンズ１２の下部周縁部１３とバンパー１６の上端縁部にある鍔部１７とを支持する。支持部２１の平面部２１Ａとハウジング１１の前端縁部１４との間にレンズ１２の下端縁部１３とバンパー１６の鍔部１７を挟んで固定して、バンパー１６とヘッドランプ１０との隙間を極力小さくする。【選択図】  図１
2006315469.tif 000002
【特許請求の範囲】
【請求項１】
バンパーの上にヘッドランプを配置する自動車用ヘッドランプの取付構造において、前記ヘッドランプのレンズを支持するハウジングの前端縁部に、前記レンズの下端縁部と前記バンパーの上端縁部とを支持する支持部を形成し、該支持部の前端部は前記ハウジングの前端縁部に対して車両上方に位置し、前記支持部は前記ハウジングの前端縁部に上下に回動可能に連結されたことを特徴とする自動車用ヘッドランプの取付構造。
【請求項２】
前記支持部は、略Ｓ字形状をなしており、該Ｓ字の一端が、前記ハウジングの前端縁部に上下に回動可能に連結されて、前記Ｓ字の他端が前記バンパーの内側から前記バンパーの上端縁部を支持する支持板となっていることを特徴とする請求項１記載の自動車用ヘッドランプの取付構造。
【請求項３】
前記固定部材は固定用ネジで構成され、該固定用ネジを前記支持部を通して前記レンズのシール端縁部に螺着したことを特徴とする請求項１、２何れか記載の自動車用ヘッドランプの取付構造。
【請求項４】
前記レンズの下端縁部は、前記レンズのシール部分とされており、該シール部分が前記固定用ネジで固定されていることを特徴とする請求項３記載の自動車用ヘッドランプの取付構造。
【発明の詳細な説明】
【技術分野】
【０００１】
本発明は自動車用ヘッドランプの取付構造に関する。
【背景技術】
【０００２】
最近では、自動車用ヘッドランプの取付構造においてヘッドランプとバンパーとの間の隙間を縮小する要求がある。例えば、特許文献１に示すように、ヘッドランプとバンパの間にターンランプを配置し、バンパの上に配置されるヘッドランプ間の割線隙間を小さくして一体感を出そうとしている。
【特許文献１】特開２００１−１０４１２０号公報
【発明の開示】
【発明が解決しようとする課題】
【０００３】
しかし、特許文献１に開示されるものでは、ヘッドランプとバンパの間にターンランプを配置しているので、バンパーやヘッドランプ類のデザインが制約されるという問題がある。
【０００４】
本発明は、このような問題に着目してなされたものであり、部品間の隙間を極力少なくしてデザインへの制約が極力少なくし、合わせて部品コストや組立工程の増加を防止可能な自動車用ヘッドランプの取付構造を提供することを目的とする。
【課題を解決するための手段】
【０００５】
上記課題を解決するために、本願の自動車用ヘッドランプの取付構造は、バンパーの上にヘッドランプを配置する自動車用ヘッドランプの取付構造において、ヘッドランプのレンズを支持するハウジングの前端縁部に、前記レンズの下端縁部と前記バンパーの上端縁部とを支持する支持部を形成し、該支持部の前端部は前記ハウジングの前端縁部に対して車両上方に位置し、前記支持部が前記ハウジングの前端縁部に上下に回動可能に連結されていることを特徴とする。
【発明の効果】
【０００６】
本願の自動車用ヘッドランプの取付構造によれば、追加部品を要することなく、ヘッドランプのハウジングの支持部を上下に回動させて、支持部の前端部でヘッドランプのレンズとバンパーを支持できるので、部品コストや組立工程の増加を防ぎつつ、部品間の隙間を極力少なくし、デザインへの制約の発生を防止できる。
【発明を実施するための最良の形態】
【０００７】
図１は本発明の実施の形態にかかる自動車用ヘッドランプの取付構造を示す。符号１０はヘッドランプであり、このヘッドランプ１０はハウジング１１とレンズ１２とを備えている。レンズ１２はハウジング１１に支持されており、レンズ１２の下部周縁部１３はシール部分とされている。図示しない車体フレームに取り付けられるハウジング１１の前端縁部１４には車幅方向に延びる支持凹部１５が形成されており、この支持凹部１５の中にレンズ１２の下端縁部の下部周縁部１３が挿入されている。
【０００８】
バンパー１６とレンズ１２は近接して配置されており、レンズ１２の下角部１２Ａとバンパー１６の上端部との間の隙間が極力小さく設定されている。バンパー１６の上端部には鍔部１７が車体後方に向かって延びるように形成されている。バンパー１６は図示しない車体フレームに取り付けられている。
【０００９】
レンズ１２の下部周縁部１３には段差部分が形成されており、下部周縁部１３の上板部の外側にはリブ１８が形成されている。レンズ１２は、バンパー１６の鍔部１７の上にリブ１８が位置するように組み付けられる。下部周縁部１３の下板部にはボス１９が突設されている。ボス１９の下端部は、樹脂ヒンジ部分２０の近傍に配置されている。レンズ１２の下部周縁部１３のボス１９の近傍にはシール板部２３が形成されており、シール板部２３は樹脂ヒンジ部分２０に密着接触してシール効果を高めるようになっている。ハウジング１１の前端縁部１４には樹脂ヒンジ部分２０を介して支持部２１が形成されている。支持部２１は樹脂ヒンジ部分２０を介して回動可能とされている。支持部２１は大略Ｓ字形状を有しており、バンパー１６の鍔部１７を下側から支えることができる形状とされている。
【００１０】
支持部２１にはネジ穴（図示省略）が開口されており、ネジ穴を通してドライバーでネジ２２をボス１９に螺着すると、樹脂ヒンジ部分２０にシール板部２３が密着してシール効果が生じると共に、支持部２１の前端部となる平面部２１Ａが鍔部１７を支持する。
【００１１】
支持部２１は樹脂ヒンジ部分２０と共にハウジング１１と一体に成形されるが、成形時には図１の点線形状に形成され、バンパー１６の鍔部１７及び下部周縁部１３を固定するときに、図１矢印Ａ方向に曲げられてバンパー１６の内側から鍔部１７及び下部周縁部１３を固定する。
【００１２】
このように、図１に示すヘッドランプの取付構造では、バンパー１６とヘッドランプ１０との隙間を極力小さくして両者の一体感を向上させ、デザインへの制約を少なくできるのみならず、追加部品や組立工程の増加させることがない。
【００１３】
図２は、バンパー１６と他の構成のヘッドランプ３０の他の実施の形態を示す。この実施の形態では、図示しない車体フレームに取り付けられるヘッドランプ３０のレンズ３１の下端縁部はヘッドランプ３０のハウジング３２の前端縁部３３に支持されている。レンズ３１の下部周縁部３４はレンズ３１のシール部分とされている。ハウジング３２の前端縁部３３には車幅方向に延びる支持凹部３５が形成されており、この支持凹部３５の中にレンズ３１の下端縁部の下部周縁部３４が挿入されている。
【００１４】
バンパー１６とレンズ３１は近接して配置されており、レンズ３１の下角部３１Ａとバンパー１６の上端部との間には殆ど隙間がないように組み付けられている。図示しない車体フレームに取り付けられるバンパー１６の上端部には鍔部１７が車体後方に向かって延びている。
【００１５】
レンズ３１の下部周縁部３４には段差部分が形成されており、下部周縁部３４の上板部の外側にはリブ３６が形成されている。下部周縁部３４のリブ３６は、バンパー１６の鍔部１７の上に位置するように組み付けられる。下部周縁部３４の端末部近傍にはシール板部３７が形成されており、シール板部３７は樹脂ヒンジ部分３８に密着接触してシール効果を高めるようになっている。
【００１６】
ハウジング３２の前端縁部３３には樹脂ヒンジ部分３８を介して支持部３９が形成されている。支持部３９は樹脂ヒンジ部分３８を介して回動可能とされている。支持部３９は大略Ｗ字形状を有しており、バンパー１６の鍔部１７を下側から支持可能とされている。
【００１７】
支持部３９の下側の縦壁部にはネジ穴（図示省略）が開口されており、このネジ穴とシール板部３８にネジ４０を通し、ネジ４０をハウジング３２の前端縁部３３に螺着すると、樹脂ヒンジ部分３８にシール板部３７が密着してシールされると共に、支持部３９の前端部となる平面部４１が鍔部１７を支持する。
【００１８】
支持部３９は樹脂ヒンジ部分３８と共にハウジング３２と一体に成形されるが、成形時には図１の点線形状に形成され、バンパー１６の鍔部１７及び下部周縁部３４を固定するときに、図１矢印Ａ方向に曲げられてバンパー１６の内側から鍔部１７及び下部周縁部３４を固定する。
【００１９】
図２に示すヘッドランプの取付構造でも、ネジ４０でレンズ３１のシール板部３７をハウジング３２の前端縁部３３に固定し、バンパー１６の内側から鍔部１７を支持するので、レンズ３１とバンパー１６の隙間が極力小さくなり両者の一体感が向上し、また、部品点数や組み立て工数の増加等を生じさせない。
【００２０】
以上、図面により本発明の実施の形態を説明したが、具体的構成は上記実施の形態に限るものではなく、本発明の要旨を逸脱しない程度の設計変更は本発明に含まれるものである。
【図面の簡単な説明】
【００２１】
【図１】本発明を実施する最良の形態にかかるバンパーとヘッドランプの取付構造の断面図である。
【図２】本発明の他の実施の形態にかかるバンパーとヘッドランプの取付構造の断面図である。
【符号の説明】
【００２２】
１０  ヘッドランプ
１１  ハウジング
１２  レンズ
１３  レンズの下部周縁部
１４  ハウジングの前端縁部
１５  支持凹部
１６  バンパー
１７  鍔部
１８  リブ
１９  ボス
２０  樹脂ヒンジ部分
２１  ハウジングの支持部
２１Ａ  平面部（支持部の前端部）
２２  ネジ
２３  シール板部
【図１】
2006315469.tif 000003
【図２】
2006315469.tif 000004